(57)【要約】【課題】      バッテリボックスをリールの後方側に添えて取り付ける構造ではリールが大型化され、魚釣り装置の握持操作性が低下することである。【解決手段】  魚釣り装置は、釣竿１とリール２とバッテリ（釣り用バッテリ）３からなっており、釣竿１のリールシート１ａにリール２の脚部２６が着脱自在に取り付けられており、そのリール２の左側板部２２にバッテリ３が取り付けられ、バッテリ３は、上端部側でリール２の給電部２５に給電可能に接続され、また、ナット３４でリール２に螺合されると共に、下端部側で係合部３６にてリール２の係合孔２２ａに係止される。【選択図】        図２
2007043995.tif 000002
【特許請求の範囲】
【請求項１】
一端部側にリールの給電部に電力を供給する接続コネクタと前記リールへの保持手段を有していると共に、他端部側に魚釣り装置への係合手段を有していることを特徴とする釣り用バッテリ。
【請求項２】
釣竿とリールと一端部に前記リールの給電部に電力を供給する接続コネクタを有するバッテリを備え、前記バッテリは、前記一端部側で前記リールに支持されていると共に他端部側は前記リールまたは釣竿に支持されていることを特徴とする魚釣り装置。
【請求項３】
バッテリはリールの給電部に接続コネクタを接続した状態で、前記接続コネクタの周辺に設けた保持手段でリールの給電部に装着されることを特徴とする請求項２記載の魚釣り装置。
【請求項４】
バッテリの他端部側は前記リールまたは釣竿に支持される着脱自在の係合部を有していることを特徴とする請求項２又は３記載の魚釣り装置。
【発明の詳細な説明】
【技術分野】
【０００１】
本発明は、釣竿とリールと一端部に前記リールの給電部に電力を供給する接続コネクタを有するバッテリとそのバッテリを備えた魚釣り装置に関する。
【背景技術】
【０００２】
従来、船釣り等の深場又は沖合の釣りにおいては釣り糸が捲回されるスプールを駆動用モータで駆動するいわゆる電動リールが多く使用され、このような釣りにおいては釣竿に取り付けた電動リールに長い給電コードを用いて釣り位置から離れた場所に置いたバッテリから電動リールに電力を供給し釣りを行っていた。
このため、長い給電コードによって釣竿操作が規制され、誘い操作や取り込み操作が思うようにできないという不都合を有していた。
【０００３】
このため、特許文献１のように電源となるバッテリをリールに取り付けたものが紹介されている。
【特許文献１】実開平３−７６４６５号公報
【発明の開示】
【発明が解決しようとする課題】
【０００４】
ところが、上記特許文献１のように電動リールに給電する手段ではバッテリボックスをリールの後方側に添えて取り付ける構造上リールが大型化されるうえ、スプール又はスプールに捲回された釣り糸を指で押さえる操作をしながらの握持が困難になるなどリールを釣りに適した持ちやすい状態にするのが困難であり、操作性が低下されるという問題がある。
【０００５】
解決しようとする課題は、バッテリボックスをリールの後方側に添えて取り付ける構造ではリールが大型化され、握持操作性が低下されることである。
【０００６】
本発明の目的は前記欠点に鑑み、バッテリをリールに取り付けたときに持ちやすく優れた操作性を有する魚釣り装置を提供することである。
【課題を解決するための手段】
【０００７】
上記課題を解決するために、
請求項１に係わる本発明の魚釣り用バッテリは、一端部側にリールの給電部に電力を供給する接続コネクタと前記リールへの保持手段を有していると共に、他端部側に魚釣り装置への係合手段を有していることを要旨とするものである。
請求項２に係わる本発明の魚釣り装置は、釣竿とリールと一端部に前記リールの給電部に電力を供給する接続コネクタを有するバッテリを備え、前記バッテリは、前記一端部側で前記リールに支持されていると共に他端部側は前記リールまたは釣竿に支持されていることを要旨とするものである。
請求項３に係わる本発明の魚釣り装置は、バッテリはリールの給電部に接続コネクタを接続した状態で、前記接続コネクタの周辺に設けた保持手段でリールの給電部に装着されることを要旨とするものである。
請求項４に係わる本発明の魚釣り装置は、バッテリの他端部側は前記リールまたは釣竿に支持される着脱自在の係合部を有していることを要旨とするものである。
【発明の効果】
【０００８】
本発明により、釣り用バッテリをリールに取り付けたときに確実に取り付くと共に、持ちやすく操作性に優れ、釣り用バッテリが安定して支持された魚釣り装置が得られる。
【発明を実施するための最良の形態】
【０００９】
以下、本発明の実施形態を図面に基づき説明すると、図１から図３が本発明の第１の実施形態で、図１は本発明の釣り用バッテリを取り付けた魚釣り装置の正面図、図２は本発明の釣り用バッテリを取り付けた魚釣り装置の背面図、図３は魚釣り装置のリールから釣り用バッテリを取り外した状態の図である。
【００１０】
本願の第１の実施形態の魚釣り装置は、図１から図３のように釣竿１とリール２とバッテリ（釣り用バッテリ）３からなっており、釣竿１のリールシート１ａにリール２の脚部２６が着脱自在に取り付けられており、そのリール２の左側板部２２にバッテリ３が取り付けられている。
【００１１】
リール２はバッテリによって供給される電力によってリールの駆動機構（モータ）を駆動させることによってスプール２１を回動させて釣り糸の捲回を行ういわゆる電動リールである。
またこのリール２は右側板部２３に設けたハンドル２７を回動することによってもスプール２１を回動させることができ釣り糸の捲回を行うことができる。
【００１２】
リール２の左側板部２２には外方（左方向）に突出する延設部２４が形成され、この延設部２４の下側に下方向きに突出する給電部２５が形成されている。
この給電部２５は、筒状に形成されており、その内部に一対の凸状接続端子２５ｂが突出され、その外側には螺子部２５ａが形成されている。
【００１３】
バッテリ３０は、内部に電池Ｄを収めた収納部３１の上方側に、これと一体に形成した筒状に突出するネック部３２を有し、ネック部３２の上端に収納部３１内部に通じる孔３３が形成され、この孔３３からバッテリ３０の内部に固定された接続コネクタ３５の先端側が突出している。
【００１４】
接続コネクタ３５は、リ−ル２の給電部２５に差し込み可能で、収納部３１より柔軟性を有する非導電性の合成樹脂からなり、先端に凹状接続端子３５ａを有している。
凹状接続端子３５ａはバッテリ３０の電池Ｄや充放電を制御する制御部Ｓと電気的に接続されており、リ−ル２の給電部２５の凸状接続端子２５ｂが嵌合可能に形成されている。
【００１５】
バッテリ３のネック部３２の上端には、接続コネクタ３５を囲むようにリール２に取り付けたときの保持手段となるナット部材３４が回動可能に設けられている。
ナット部材３４は接続コネクタ３５に回動可能に遊嵌されており、接続コネクタ３５に設けた段部３５ｂに当たって向け止めされている。
ナット部材３４は内側に螺子部３４ａが形成されており、リール２の給電部２５外側に設けた螺子部２５ａと螺合するようになっており、バッテリ３の上端側はナット部材３４によってリール２の給電部２５に保持されるようになっている。
【００１６】
また、バッテリ３は、その下端側の収納部３１の底部３１ａ側にてバッテリ３の外側に取り付けたカップ状の支持部３７に先端側にフック状の係合部３９を有するアーム部３８を延設した係合具３６が取り付けられている。
この係合具３６はカップ状の支持部３７の内部にバッテリ３の底部３１ａ側が差し込まれることでバッテリ３に着脱可能に取り付けられ、これによってバッテリ３は、上端側のナット部材３４の保持手段と下端側の係合具３６による魚釣り装置Ｔへの係合手段を有している。
【００１７】
係合具３６のフック状の係合部３９は魚釣り装置Ｔの釣り人が選択する任意位置に取り付けられるがリール２の左側板部２２に形成した係合孔２２ａに係止することができる。
係合具３６金属や合成樹脂で形成され、係合部３９やアーム部３８は魚釣り装置Ｔへの支持位置に応じて手で折り曲げて調整が出来るが、魚釣り装置Ｔに係止された状態でバッテリ３が振り子状に揺り動かされることを防止し、設定位置が保持される程度の強度と支持性を有している。
【００１８】
このバッテリ３をリール２に取り付けるためには、リール２の給電部２５にバッテリ３の接続コネクタ３５を差し込んでリール２の給電部２５の凸状接続端子２５ｂがバッテリ３の接続コネクタ３５の凹状接続端子３５ａに差し込まれてバッテリ３からリール２へ給電された状態とする。
さらに、ナット３４を回動して給電部２５の螺子部２５ａにナット３４の螺子部３４ａを螺合してバッテリ３が給電状態でリール２のリール２の左側板部２２に形成した係合孔２２ａに係止することに保持され、リール２の駆動機構（モータ）が駆動可能になる。
【００１９】
更に、係合具３６をバッテリ３の底部３１ａ側に取り付けて、そのアーム３８先端の係合部（フック）３９をリール２の左側板部２２に形成した係合孔２２ａに係止することでバッテリ３の下端部側がリール２に係止される。
【００２０】
また、バッテリ３は上端側と下端側がリール２に取り付けられるが、バッテリ３はリール２との間に把持空間Ｋが設けられるように配置される。
この把持空間Ｋはリール２を握持するときに手を差し込むためのバッテリ３とリール２の間の間隙で、バッテリ３のリール２に取り付けられた上端部と下端部以外の間の部分に形成される。
把持空間Ｋによってリール２の側板部（左側板部２２）に容易に手を当ててこれを握持し、魚釣り装置Ｔの握持を容易にする。
【００２１】
これによって、バッテリ３は上端部側が給電部２５に接続コネクタ３５が差し込まれた状態にて接続コネクタ３５の周囲に設けた保持手段のナット３４が給電部２５の外側に螺合されて保持されバッテリ３はリール２に確実に取り付けられる。
一方、バッテリ３の下端部側が収納部３１の外側に取り付けた係合具３６のアーム３８先端の係合部（フック）３９をリール２の左側板部２２に形成した係合孔２２ａに係止することでバッテリ３の下端部側がリール２に係止されるため、上端側の保持状態を補って魚釣り装置Ｔを用いてあおったり、方向の急転換を行ってもバッテリ３が振り子状に揺り動かされることが防止され、確実に支持される。
【００２２】
これによって、給電コードを用いた魚釣り装置やバッテリボックスをリールの後方側に添えて取り付けた魚釣り装置に比べて持ちやすく、操作性が向上する。
また、バッテリ３を充分に充電された他のバッテリに交換したり、バッテリ３が不要の時は着脱可能の上端部側の保持と下端部側の係止を共に解除してバッテリ３を取り外すことができる。
この時、リール２はバッテリ３が無くてもハンドル２７を用いてスプール２１に釣り糸を捲回できる。
【００２３】
図４から図６が本発明の第２の実施形態で、図４は本発明の釣り用バッテリを取り付けた魚釣り装置の正面図、図５は本発明の釣り用バッテリを取り付けた魚釣り装置の背面図、図６は魚釣り装置のリールから釣り用バッテリを取り外した状態の図である。
【００２４】
第２の実施形態において、リール２の給電部２５は左側板部２２の周縁部の下側に設けた延設部２４’に形成され、釣竿１の竿尻方向に下向きに傾斜して突出形成されている。
また、左側板部２２には第１の実施形態の係合孔２２ａが設けられていない。
【００２５】
バッテリ３は、その下端部側に収納部３１の外側に取り付けた係合具３６’を有し、そのアーム３８’先端の係合部（フック）３９’を釣竿１にのグリップ１ｂに係止することで魚釣り装置Ｔ’に支持される。
これによって、バッテリ３は上端側と下端側がリール２に取り付けられるが、バッテリ３はリール２との間に把持空間Ｋ’が設けられるように配置される。
この把持空間Ｋ’はリール２を握持するときに手を差し込むためのバッテリ３とリール２の間の間隙で、バッテリ３のリール２に取り付けられた上端部と下端部以外の間の部分に形成される。
把持空間Ｋ’によってリール２の側板部（左側板部２２）に容易に手を当ててこれを握持し、魚釣り装置Ｔ’の握持を容易にする。
その他は、第１の実施形態と同じ構成を有している。
【００２６】
以上、本発明の実施形態について説明したが、以上の実施形態に限定されることなく、種々変形することが可能である。
【産業上の利用可能性】
【００２７】
本発明は、釣り用バッテリとその魚釣り装置に利用できる。
【図面の簡単な説明】
【００２８】
【図１】本発明の第１実施形態で、釣り用バッテリを取り付けた魚釣り装置の正面図である。
【図２】同第１実施形態で、釣り用バッテリを取り付けた魚釣り装置の背面図である。
【図３】同第１実施形態で、魚釣り装置のリールから釣り用バッテリを取り外した状態の図である。
【図４】本発明の第２実施形態で、釣り用バッテリを取り付けた魚釣り装置の正面図である。
【図５】同第２実施形態で、釣り用バッテリを取り付けた魚釣り装置の背面図である。
【図６】同第２実施形態で、魚釣り装置のリールから釣り用バッテリを取り外した状態の図である。
【符号の説明】
【００２９】
１  釣竿
２  リール
３  バッテリ
２５  給電部
３４  ナット
３５  接続コネクタ
３６、３６’  係合具
Ｔ、Ｔ’  魚釣り装置
Ｋ、Ｋ’把持空間
【図１】
2007043995.tif 000003
【図２】
2007043995.tif 000004
【図３】
2007043995.tif 000005
【図４】
2007043995.tif 000006
【図５】
2007043995.tif 000007
【図６】
2007043995.tif 000008